(57)【要約】【課題】  フィルムを巻き取ったパトローネを取り出すときに、一部の部品を破壊しなければならないようにして、第三者による不正なフィルム詰め替え行為を防止したレンズ付きフィルムユニット。【解決手段】  所定の撮影機構が組み込まれたユニット本体と、該ユニット本体の前部を被覆する前カバーと、前記ユニット本体の後部を被覆する後カバーと、を有し、パトローネ室からパトローネを取り出すための開口部を被覆するパトローネ蓋を、前記ユニット本体、前記前カバー及び前記後カバーとは別体に形成したレンズ付きフィルムユニットにおいて、前記パトローネ蓋を取り外して前記開口部を開口させる際に、前記パトローネ蓋の一部が破断すること。【選択図】        図２
2006293053.tif 000002
【特許請求の範囲】
【請求項１】
所定の撮影機構が組み込まれたユニット本体と、該ユニット本体の前部を被覆する前カバーと、前記ユニット本体の後部を被覆する後カバーと、を有し、パトローネ室からパトローネを取り出すための開口部を被覆するパトローネ蓋を、前記ユニット本体、前記前カバー及び前記後カバーとは別体に形成したレンズ付きフィルムユニットにおいて、
前記パトローネ蓋を取り外して前記開口部を開口させる際に、前記パトローネ蓋の一部が破断することを特徴とするレンズ付きフィルムユニット。
【請求項２】
前記パトローネ蓋は係止爪若しくは係止孔を有して、前記前カバー、前記後カバー若しくは前記ユニット本体に設けた係止孔若しくは係止爪によって係止され、前記開口部を開口する際に、前記パトローネ蓋の係止爪若しくは係止孔の近傍が破断することを特徴とする請求項１に記載のレンズ付きフィルムユニット。
【請求項３】
前記パトローネ蓋の係止爪若しくは係止孔の近傍に段差を有する肉薄部を設けたことを特徴とする請求項２に記載のレンズ付きフィルムユニット。
【請求項４】
前記開口部を開口させた後に、破断した破片に位置する係止爪若しくは係止孔は、対向する係止孔若しくは係止爪によって係止された状態が維持されることを特徴とする請求項１〜３の何れか１項に記載のレンズ付きフィルムユニット。
【請求項５】
前記開口部を開口させるために所定の工具を係合させる係合部を前記パトローネ蓋の端部に設け、前記開口部を開口する際に、前記係合部のみが破断することを防止した肉薄部を前記係合部の近傍に設けたことを特徴とする請求項１〜４の何れか１項に記載のレンズ付きフィルムユニット。
【発明の詳細な説明】
【技術分野】
【０００１】
本発明は、メーカー以外の第三者が撮影済みのレンズ付きフィルムユニットに新たなフィルムを装填して自ら出荷するといった不正を防止したレンズ付きフィルムユニットに関する。
【背景技術】
【０００２】
レンズ付きフィルムユニットにおいては、ユーザーが撮影を終了すると、フィルムが装填されているレンズ付きフィルムユニットをそのままカメラ店等に提出して、フィルムの現像とプリントを依頼する。そのレンズ付きフィルムユニットはカメラ店からラボに送られ、ラボではフィルムのみを取り出して現像及びプリントを行い、フィルムを取り出したレンズ付きフィルムユニットをメーカーに送る。メーカーではそのレンズ付きフィルムユニットを検査して、使用可能な部品やユニットは新たに生産するレンズ付きフィルムユニットに再利用する。
【０００３】
また、レンズ付きフィルムユニットは廉価に販売することを旨としているので、部品の組み付けに小ねじを用いることは殆どせず、一方の部品に設けた係止爪を他方の部品に設けた係止孔に係止して、一方の部品を他方の部品に組み付けるようにしている。
【０００４】
このために、ラボでフィルムを取り出すために所定の部品を取り外す際に、係止している係止爪等が破損しがちである。しかし、破損しても、その係止爪等が付いている部品が大きな部品でなければ、原価的に影響が少ないので、一部の部品のみを取り外してフィルムを取り出せるようにすることが望まれる。
【０００５】
この観点でなされた下記の如き発明が開示されている。
【０００６】
例えば、パトローネ室を被覆するパトローネ蓋をユニット本体、前カバー及び後カバーとは別体に設け、このパトローネ蓋を係止爪等によって前カバーと後カバーにそれぞれ固定し、ユニット本体には固定しないようにしたレンズ付きフィルムユニットがある（特許文献１参照）。
【０００７】
即ち、ユニット本体は複雑で最も大きな部品であって、多数の撮影機構を保持しているので、ユニット本体が一部でも破損して再利用できなくなると、大きな損失になる。そこで、特許文献１においては、パトローネ蓋をユニット本体には固定せずに、破損してもユニット本体より影響の少ない前カバーや後カバーに固定したものである。
【０００８】
また、パトローネ蓋をユニット本体、前カバー及び後カバーとは別体に設け、パトローネ室の開口部の近傍に位置する前カバーに設けた軸受けにパトローネ蓋の支軸を嵌合させて、該支軸を中心にパトローネ蓋を開閉させるようにしたレンズ付きフィルムユニットがある（特許文献２）。
【０００９】
特許文献２においても、特許文献１と同様に少なくともユニット本体や後カバーが破損することがないように構成している。
【特許文献１】特開２００１−５１３８１号公報
【特許文献２】特開２０００−１４７７２２号公報
【発明の開示】
【発明が解決しようとする課題】
【００１０】
以上の如き撮影終了後のレンズ付きフィルムユニットの流通過程において、フィルムを取り出したレンズ付きフィルムユニットがメーカーに回収されずに、何らかの理由で第三者に渡ることがある。そして、その第三者がメーカーに無断で、入手したレンズ付きフィルムユニットに自らが調達した新たなフィルムを装填し、そのままの状態のままで販売してしまうという不正行為が行われることがある。なお、場合によってラベルのみを独自のラベルに張り替えて、異なる製品の様に見せかけることもある。
【００１１】
メーカーでは回収したレンズ付きフィルムユニットを検査して、良好な部品のみを再利用し、機能・性能に問題があったり疵が付いたりした部品については新たな部品に交換しているが、上述の第三者は良・不良の検査ができない上に、交換部品がなく、更に部品やユニットを交換する技術もないので、機能や性能に問題がある状態で出荷してしまう。
【００１２】
ところが、例えラベルを張り替えても、他の外観部品は元のままであるので、ユーザーはそのレンズ付きフィルムユニットがメーカーから正規に販売されたものと思って購入する。そして、不具合箇所があると、メーカーにクレームすることになる。この結果、メーカーはユーザーの信頼を失ってしまうという問題が生ずる。
【００１３】
本発明はかかる問題に鑑みてなされたものであり、ラボでフィルム即ちフィルムを巻き取ったパトローネを取り出すときに、一部の部品を破壊しなければならないようにして、第三者による不正なフィルム詰め替え行為を防止したレンズ付きフィルムユニットを提案することを目的とする。
【課題を解決するための手段】
【００１４】
上記目的は下記の何れかの手段によって達成される。
【００１５】
［請求項１］所定の撮影機構が組み込まれたユニット本体と、該ユニット本体の前部を被覆する前カバーと、前記ユニット本体の後部を被覆する後カバーと、を有し、パトローネ室からパトローネを取り出すための開口部を被覆するパトローネ蓋を、前記ユニット本体、前記前カバー及び前記後カバーとは別体に形成したレンズ付きフィルムユニットにおいて、前記パトローネ蓋を取り外して前記開口部を開口させる際に、前記パトローネ蓋の一部が破断することを特徴とするレンズ付きフィルムユニット。
【００１６】
［請求項２］前記パトローネ蓋は係止爪若しくは係止孔を有して、前記前カバー、前記後カバー若しくは前記ユニット本体に設けた係止孔若しくは係止爪によって係止され、前記開口部を開口する際に、前記パトローネ蓋の係止爪若しくは係止孔の近傍が破断することを特徴とする請求項１に記載のレンズ付きフィルムユニット。
【００１７】
［請求項３］前記パトローネ蓋の係止爪若しくは係止孔の近傍に段差を有する肉薄部を設けたことを特徴とする請求項２に記載のレンズ付きフィルムユニット。
【００１８】
［請求項４］前記開口部を開口させた後に、破断した破片に位置する係止爪若しくは係止孔は、対向する係止孔若しくは係止爪によって係止された状態が維持されることを特徴とする請求項１〜３の何れか１項に記載のレンズ付きフィルムユニット。
【００１９】
［請求項５］前記開口部を開口させるために所定の工具を係合させる係合部を前記パトローネ蓋の端部に設け、前記開口部を開口する際に、前記係合部のみが破断することを防止した肉薄部を前記係合部の近傍に設けたことを特徴とする請求項１〜４の何れか１項に記載のレンズ付きフィルムユニット。
【発明の効果】
【００２０】
請求項１〜３に記載のレンズ付きフィルムユニットによれば、フィルムを収納したパトローネをパトローネ室から取り出す際に、パトローネ蓋を取り外してパトローネ室の開口部を開口させるが、このときにパトローネ蓋の一部が破断するので、パトローネの詰め替えを企む不正な業者が新たなレンズ付きフィルムユニットを出荷することができなくなる。
【００２１】
請求項４に記載のレンズ付きフィルムユニットによれば、破断した破片が係止爪若しくは係止孔によって係止されて残るので、破片が飛散してラボでの作業者に予期せぬ怪我を負わせることがない。
【００２２】
請求項５に記載のレンズ付きフィルムユニットによれば、パトローネ室の開口部を開口させるために工具を係合させる係合部の近傍に肉薄部を設けたので、係合部のみが破断してパトローネ蓋が取り外しできなくなるといったことが生じない。
【発明を実施するための最良の形態】
【００２３】
本発明の実施の形態を図を参照して説明する。
【００２４】
先ず、レンズ付きフィルムユニットの全体構成を図１に示す分解斜視図に基づいて説明する。
【００２５】
ユニット本体１には、撮影レンズユニット４、シャッタユニット５、フィルム巻上げユニット６、ストロボユニット７等が組込まれていて、ユニット本体１の前部は前カバー２にて被覆され、後部は後カバー３によって被覆されている。
【００２６】
また、後カバー３を組み付ける前には、ユニット本体１の裏側であって不図示であるが、ユニット本体１の左部裏側にはパトローネ室があってパトローネが装填され、ユニット本体１の右部裏側にはリール室があって未露光のフィルムがリールに巻回される。撮影時にはユーザーが１コマ毎に巻上げノブ８を回転させ、撮影レンズユニット４及びシャッタユニット５の作動により露光されたフィルムをパトローネ内に巻上げる。
【００２７】
そして、撮影終了後にはユーザーはフィルムが装填されたままのレンズ付きフィルムユニットをカメラ店に持参して、現像及びプリントを依頼する。カメラ店ではこのレンズ付きフィルムユニットをラボに送る。ラボではフィルムが巻き上げられて収納されているパトローネをレンズ付きフィルムユニットから取り出すことになるが、本レンズ付きフィルムユニットにおいては、ユニット本体１、前カバー２及び後カバー３とは別体に形成されたパトローネ蓋９がパトローネ室の底部に設けられていて、このパトローネ蓋９のみを取り外せば、パトローネを取り出すことができる。
【００２８】
次に、図２乃至図３に基づいてパトローネ蓋９の構成を説明する。図２はパトローネ蓋とパトローネ室を底面側から見た斜視図、図３は図２におけるＡ−Ａ断面図である。
【００２９】
図２において、ユニット本体１に設けたパトローネ室１ａには露光済みのフィルムを収納したパトローネＰが装填されていて、パトローネ室１ａにおけるパトローネＰを取り出すための開口部１ｂをパトローネ蓋９によって光密に被覆されている。
【００３０】
パトローネ蓋９には図２及び図３に示す如く係止爪９ａが設けられていて、係止爪９ａは前カバー２に設けた係止孔２ａに係止される。また、パトローネ蓋９には二つの係止孔９ｂ，９ｃが設けられていて、後カバー３に設けた係止爪３ａ，３ｂに各々係止される。このように、係止爪９ａが係止孔２ａに係止され、係止孔９ｂが係止爪３ａに係止され、係止孔９ｃが係止爪３ｂに係止されることによって、パトローネ蓋９はパトローネ室１ａの開口部１ｂを光密状態に被覆して装着される。
【００３１】
また、パトローネ蓋９の係止爪若しくは係止孔が係止される係止孔若しくは係止爪は前カバー２や後カバー３に設けられていて、ユニット本体１には設けられていない。従って、分解時に前カバー２の係止孔２ａや後カバー３の係止爪３ａ，３ｂが破損しても、ユニット本体１が破損するより実害が少ない。
【００３２】
但し、分解時にパトローネ蓋９に設けた係止爪若しくは係止孔が破損し、これらが係止する係止孔若しくは係止爪は破損しない強度を有するならば、ユニット本体１にこのような係止孔若しくは係止爪を設けてもよい。
【００３３】
また、パトローネ室１ａの開口部１ｂの周囲には、ユニット本体１にはリブ１ｃが、前カバー２にはリブ２ｂが、後カバー３１にはリブ３ｄが各々設けられていて、これらのリブの外側にパトローネ蓋９の側壁９ｄが重なって、パトローネ室１ａを確実に遮光している。
【００３４】
また、パトローネ蓋９の固定により、前カバー２の内側面がユニット本体１に形成された位置決め部１ｄで位置決めされ、後カバー３の内側面がユニット本体１に形成された位置決め部１ｅで位置決めされる。
【００３５】
続いて、パトローネ蓋９を取り外して開口部１ｂを開口させる方法を前述の図２、図３に図４を加えて説明する。図４はパトローネ蓋９を取り外すときの斜視図である。
【００３６】
先ず、マイナスドライバーの様に形成された工具１０の先端をパトローネ蓋９の角孔９ｅ（係合部）に挿入し、図４の矢印Ａの方向にこじる。すると、先ず係止孔９ｃが係止爪３ｂから外れる。
【００３７】
次に、工具１０の先端をパトローネ蓋９の角孔９ｅに挿入したまま、工具１０を矢印Ｂの方向にこじる。係止爪９ａの付け根の近傍は、図３に示す如く段差を有して薄い肉薄部９ｆが形成されている。従って、係止爪９ａが係止孔２ａから外れる前に、肉薄部９ｆの隅部９ｇ及び隅部９ｈに応力が集中して、部分的に破断し、図５に示す如く係止爪９ａが係止孔２ａに係止した状態で係止爪９ａを含むパトローネ蓋９の破片９ｉが前カバー２の側に残存する。
【００３８】
そして、工具１０を更に矢印Ｂの方向にこじれば、最後に係止孔９ｂが係止爪３ａから外れて、パトローネ蓋９を取り外すことができる。
【００３９】
このように、パトローネＰを取り出すためにパトローネ蓋９を取り外すときには、パトローネ蓋９は必ず破断することになる。従って、パトローネの詰め替えを企む不正な業者がパトローネ蓋９を取り外すときにも、パトローネ蓋９は必ず破断してしまうので、新たなパトローネ蓋９を有していないその業者は新たなレンズ付きフィルムユニットを作り上げることができない。また、パトローネ蓋９は複雑な形状をしているので、業者がパトローネ蓋９のみを模造して製作することも非常に困難である。
【００４０】
また、ラボでの正規のパトローネＰの取り出し作業においても、同様にパトローネ蓋９は必ず破断するが、破断する部分が係止爪９ａを有する部分で、係止爪９ａが係止孔２ａに係止した状態で破断するので、破断した破片が飛散してラボでの作業者に予期せぬ怪我を負わせることもないし、破片がごみとして散乱することもない。
【００４１】
また、工具１０を挿入する角孔９ｅはパトローネ蓋９の端部に配置され、且つ、隣りに係止孔９ｃが配置されていて、周辺の肉厚も充分でない。従って、このような状態のままで工具１０にて角孔９ｅをこじると、角孔９ｅの周辺部のみが破断してしまい、パトローネ蓋９の全体を取り外すのが困難になる。そこで、角孔９ｅの近傍における上面に窪み９ｊを設けたり、側面に切り欠き部９ｋを設けたりして、パトローネ蓋９を部分的に肉薄に形成しておく。この結果、工具１０にて角孔９ｅをこじったときに、応力が分散して穴９ｊや切り欠き部９ｋの近傍で変形するようになり、角孔９ｅの周辺部で破断することは生じない。
【００４２】
なお、以上の如く説明したパトローネ蓋は一例であって、係止爪と係止孔との関係をどのように逆にしてもよい。
【００４３】
また、工具を挿入して係合させる孔（係合部）は角孔でなくてもよく、どのような形状の孔であってもよいが、できるだけパトローネ蓋の端部に設けた方がパトローネ蓋の取り外しが容易になる。
【図面の簡単な説明】
【００４４】
【図１】レンズ付きフィルムユニットの分解斜視図である。
【図２】パトローネ蓋とパトローネ室を底面側から見た斜視図である。
【図３】図２におけるＡ−Ａ断面図である。
【図４】パトローネ蓋を取り出すときの斜視図である。
【図５】パトローネ蓋の破片が残存したことを示す斜視図である。
【符号の説明】
【００４５】
Ｐ  パトローネ
１  ユニット本体
１ａ  パトローネ室
１ｂ  開口部
２  前カバー
２ａ，９ｂ，９ｃ  係止孔
３  後カバー
３ａ，３ｂ，９ａ  係止爪
９  パトローネ蓋
９ｆ  肉薄部
９ｇ，９ｈ  隅部
９ｉ  破片
９ｊ  窪み
９ｋ  切り欠き部
１０  工具
【図１】
2006293053.tif 000003
【図２】
2006293053.tif 000004
【図３】
2006293053.tif 000005
【図４】
2006293053.tif 000006
【図５】
2006293053.tif 000007